(57)【要約】【課題】撮像装置内で容量学習を行う際に、電池パックの保護機能が動作することなく容量学習を行うことを可能にすること。【解決手段】二次電池と、前記二次電池の充放電電流を検出する電流検出手段と、満充電状態から放電終止状態までの前記二次電池の放電可能な容量に対応する学習容量を記憶する記憶手段と、前記二次電池が放電終止状態になった場合に前記学習容量の更新を行う更新手段とを有する電池パックと接続可能な撮像装置（１２３）は、前記撮像装置の第１の動作モードの動作禁止状態に到達した後、前記二次電池に流れる電流量および電流変動量が所定よりも小さい動作モードを許可し、前記二次電池の放電終止状態まで動作可能な第２の動作モードに移行する。【選択図】図１
2018207739.tif 000002
【特許請求の範囲】
【請求項１】
二次電池と、前記二次電池の充放電電流を検出する電流検出手段と、満充電状態から放電終止状態までの前記二次電池の放電可能な容量に対応する学習容量を記憶する記憶手段と、前記二次電池が放電終止状態になった場合に前記学習容量の更新を行う更新手段とを有する電池パックと接続可能な撮像装置であって、
前記撮像装置の第１の動作モードの動作禁止状態に到達した後、前記二次電池に流れる電流量および電流変動量が所定よりも小さい動作モードを許可し、前記二次電池の放電終止状態まで動作可能な第２の動作モードに移行することを特徴とする撮像装置。
【請求項２】
前記撮像装置に接続された前記電池パックが、前記第１の動作モードの動作禁止状態に到達した場合に、前記撮像装置が前記第２の動作モードに移行するか否かを選択可能な選択手段と、
前記撮像装置が前記第２の動作モードで動作を行っているときに、ユーザに第２の動作モードで動作中であることを通知する動作モード通知手段と
をさらに有することを特徴とする請求項１に記載の撮像装置。
【請求項３】
前記撮像装置が前記第２の動作モードで動作中は、動作可能なモードをユーザに通知する動作可能モード通知手段をさらに有することを特徴とする請求項１又は請求項２に記載の撮像装置。
【発明の詳細な説明】
【技術分野】
【０００１】
本発明は、電池パックが接続可能な撮像装置およびその制御方法に関する。
【背景技術】
【０００２】
従来、撮像装置に使用される電池パックには、満充電状態から放電終止状態までの二次電池の放電可能な容量（学習容量）の更新が可能な電池パックがあることが知られている。
【０００３】
学習容量は電池パックの使用条件や電池パック内の二次電池の経年劣化により変化するため、徐々に学習容量と実容量の間に乖離が生じていく。学習容量と実容量との乖離を補正するため、適宜、学習容量の更新を行う（容量学習）必要がある。
【０００４】
特許文献１には、電池パックが満充電状態から放電終止状態になるまでの放電容量を記憶し、電池パックが放電終止状態になった場合に放電容量を学習容量として更新する方法が記載されている。
【０００５】
特許文献２には、電池パックが所定の電圧に到達した場合に、電池パックの充電回数に応じて学習容量に補正を行うことで、容量学習を行う方法が記載されている。
【先行技術文献】
【特許文献】
【０００６】
【特許文献１】特開２００９−１６２６２３号公報
【特許文献２】特開２００４−１４２２８号公報
【発明の概要】
【発明が解決しようとする課題】
【０００７】
しかしながら、特許文献１および２に記載された方法では、撮像装置内で電池パックの容量学習を行う際に課題が残る。具体的には、撮像装置には高速連写などの大電流かつ電流変動の大きい動作モードがあり、学習容量と実容量との間に一定以上の乖離が生じている場合に、電池パック内の二次電池が放電終止電圧以下になる懸念がある。
【０００８】
電池パック内の二次電池の電池セル保護機能としては、放電終止電圧よりも低い電圧になった場合に、二次電池が過放電とならないように、電池パック内の放電回路を遮断する機能を有している場合がある。この場合、保護機能が動作すると、電池パック内から撮像装置への接続部に電源供給している端子が解放状態となるため、撮像装置の使用中に突然動作停止してしまう。
【０００９】
そこで、本発明は、撮像装置内で容量学習を行う際に、電池パックの保護機能が動作することなく容量学習を行うことを可能にすることを目的とする。
【課題を解決するための手段】
【００１０】
上記の目的を達成するために、本発明に係る撮像装置は、
二次電池と、前記二次電池の充放電電流を検出する電流検出手段と、満充電状態から放電終止状態までの前記二次電池の放電可能な容量に対応する学習容量を記憶する記憶手段と、前記二次電池が放電終止状態になった場合に前記学習容量の更新を行う更新手段とを有する電池パックと接続可能な撮像装置であって、前記撮像装置の第１の動作モードの動作禁止状態に到達した後、前記二次電池に流れる電流量および電流変動量が所定よりも小さい動作モードを許可し、前記二次電池の放電終止状態まで動作可能な第２の動作モードに移行することを特徴とする。
【発明の効果】
【００１１】
本発明に係る撮像装置によれば、撮像装置内で容量学習を行う際に、電池パックの保護機能が動作することなく容量学習を行うことができる。
【図面の簡単な説明】
【００１２】
【図１】実施形態１、２および３における撮像装置１２３および電池パック１０５の構成の一例を説明するためのブロック図である。
【図２】実施形態１におけるバッテリチェックおよび電池パック１０５の容量学習の流れを説明するためのフローチャートである。
【図３】撮像装置１２３が動作禁止状態に到達したことをユーザに通知するための情報の例を示す図である。
【図４】実施形態２におけるバッテリチェックおよび電池パック１０５の容量学習の流れを説明するためのフローチャートである。
【図５】電池パック１０５の容量学習を行うか否かをユーザに選択させるための情報の例を示す図である。
【図６】容量学習中であることなどをユーザに通知するための情報の例を示す図である。
【図７】実施形態３におけるバッテリチェックおよび電池パック１０５の容量学習の流れを説明するためのフローチャートである。
【図８】容量学習中に撮像装置１２３で実行可能な機能などをユーザに通知するための情報の例を示す図である。
【発明を実施するための形態】
【００１３】
以下、図面を参照して本発明の実施形態を説明する。ただし、本発明は以下の実施形態に限定されるものではない。
【００１４】
［実施形態１］
図１は、実施形態１、２および３における撮像装置１２３および電池パック１０５の構成の一例を説明するためのブロック図である。
【００１５】
実施形態１、２および３において、電池パック１０５は、撮像装置１２３に接続可能である。
【００１６】
まず、図１を参照して、電池パック１０５の構成の一例を説明する。
【００１７】
電池パック１０５は、二次電池１０１、電流検出部１０２、メモリ１０３、電池パック制御部１０４、電圧変換部１０６、電圧検出部１０７、保護回路１０８、＋端子１０９、Ｄ端子（通信端子）１１０、−端子１１１、温度検出部１１２を有する。
【００１８】
二次電池１０１は、例えば、直列に接続された２つの電池セルを有する。二次電池１０１は、例えば、リチウムイオン電池である。二次電池１０１の一方の端子は、保護回路１０８を介して＋端子１０９へ接続されると共に、電圧変換部１０６に接続される。二次電池１０１のもう一方の端子は、二次電池１０１の充電または放電電流を測定するための電流検出部１０２を介して−端子１１１に接続されていると共に、電池内のＧＮＤと接続されている。
【００１９】
電流検出部１０２は、例えば２０ｍΩのような低抵抗器であり、充放電電流を電圧に変換し、それを電池パック制御部１０４がＡ／Ｄ変換することで充放電電流を測定する。
【００２０】
メモリ１０３は、例えば書き換え可能な不揮発性メモリであり、電池パック１０５の各構成要素を制御するためのプログラムを記憶している。さらに、メモリ１０３は、二次電池１０１の満充電状態時の容量（学習容量に相当）、充放電電流の積算値、さらに残量（学習容量から充放電電流の積算値を減算した容量に相当）を記憶している。
【００２１】
電池パック制御部１０４は、例えばＡＤ変換、ＲＯＭ／ＲＡＭおよびタイマ等を持ったワンチップマイコンで構成され、電池パック１０５の各構成要素の動作を制御する。電池パック制御部１０４は、電池パック制御部１０４内のＲＯＭに記憶されている電池パック１０４を動作させるためのプログラムを読み込み、電池制御マイコン内１０４のＲＡＭに展開し、各構成要素の動作を制御する。
【００２２】
また、電池パック制御部１０４は、電流検出部１０２で測定した充放電電流を一定周期（例えば１００ｍｓ周期）毎に積算を行い、充放電電流の積算値をメモリ１０３に記憶させる。電池パック制御部１０４は、前述の通り、学習容量から充放電電流の積算値を減算した容量を残量として、メモリ１０４に記憶させる。
【００２３】
電圧変換部１０６は、例えばリニアレギュレータを有し、電池パック制御部１０４に定電圧（例えば３Ｖ）を供給する。これにより、電池パック１０５が撮像装置１２３から外された状態でも電池パック制御部１０４は動作可能となる。
【００２４】
電圧検出部１０７は、例えばＡ／Ｄ変換器で構成され、二次電池１０１の各電池セルの電圧を検出し、電池パック制御部１０４へ伝える。
【００２５】
保護回路１０８は、充電保護ＦＥＴおよび放電保護ＦＥＴにより構成され、充電時および放電時において、過充電や過放電にならないように回路を遮断されるスイッチであり、電池パック制御部１０４により制御される。例えば、電圧検出部１０７で検出した各電池セルの電圧のいずれかが、２．４Ｖ以下となっていた場合、電池パック制御部１０４は、二次電池１０１が過放電状態であると判定し、保護回路１０８内の放電保護ＦＥＴを遮断するように制御する。
【００２６】
温度検出部１１２は、例えばサーミスタによって構成され、温度変化を抵抗値に変換し、それを電池パック制御部１０４のＡ／ＤポートにてＡＤ変換することで電池パック１０５の温度を検出する。
【００２７】
撮像装置１２３に電池パック１０５が接続されると、＋端子１０９と−端子１１１との間に電圧が供給され、撮像装置１２３に電力が供給される。また、撮像装置１２３と電池パック１０５のＤ端子１１０が接続され、電池パック制御部１０４と制御部１１４とが通信可能となる。
【００２８】
次に、図１を参照して、撮像装置１２３の構成の一例を説明する。
【００２９】
撮像装置１２３も、電池パック１０５同様に、＋端子１０９と接続される＋端子と、Ｄ端子１１０と接続されるＤ端子（通信端子）と、−端子１１１と接続される−端子とを有する。
【００３０】
電圧変換部１１３は、例えばスイッチングレギュレータまたはリニアレギュレータを有し、制御部１１４だけでなく、撮像装置１２３内の各構成要素に所定の電圧を供給する。
【００３１】
制御部１１４は、例えばＡＤ変換、ＲＯＭ／ＲＡＭおよびタイマ等を持ったワンチップマイコンで構成され、撮像装置１２３の各構成要素の動作を制御する。制御部１１４は、例えば制御部１１４内のＲＯＭに記憶されている撮像装置１２３の各構成要素を動作させるためのプログラムを読み込み、同じく制御部１１４内のＲＡＭに展開し、各構成要素の動作を制御する。
【００３２】
また、制御部１１４は、不図示の露出演算部が計算した露出量に従い、シャッタースピードや絞り値を決定し、後述するレンズ駆動部１１７およびシャッター制御部１１６に伝送する。
【００３３】
画像処理部１１５は、撮像素子１２０から入力されたアナログ画像信号に対し、Ａ／Ｄ変換処理を適用し、デジタル画像データに変換する。その後、画像処理部１１５はデジタル画像データに対して、例えば解像度変換処理や色調変換処理等の各種画像処理を適用し、後述する記録媒体１２４に記録する。
【００３４】
シャッター駆動部１１６は、制御部１１４が決定したシャッタースピードの情報に従い、シャッター１２１を駆動させる。
【００３５】
レンズ駆動部１１７は、不図示の焦点検出部が検出した被写体に合焦する合焦レンズの位置の情報に従い、レンズユニット１２２の合焦レンズ（フォーカスレンズ）を駆動させる。レンズ駆動部１１７は、制御部１１４が決定した露出量の情報を受信して制御部１１４が決定した絞り値の情報に従い、レンズユニット１２２の絞りを駆動させる。
【００３６】
表示部１１８は、液晶表示器などを有する表示装置である。表示部１１８は、撮像素子１２０が出力した被写体像を逐次表示（スルー表示）することができる。表示部１１８は、スルー表示により電子ビューファインダとして機能するだけでなく、例えば撮像装置１２３の設定を行うためのＧＵＩの表示や、記録媒体に記録された画像の表示も行う。なお、撮像装置１２３は、撮像装置１２３の右肩部にも表示装置を有する。
【００３７】
操作部１１９は、例えば電源ボタンやレリーズボタン等の撮像装置１２３が有するユーザ入力インタフェースを有し、各ボタンに対するユーザからの操作を受け付けて、制御部１１４に入力があったことを伝える。操作部１１９は、撮像装置１２３に接続されたレンズに供えられた各スイッチによる操作に対応した処理を受け付けて、制御部１１４に入力があったことを伝える。
【００３８】
撮像素子１２０は、例えばＣＣＤやＣＭＯＳセンサ等であり、レンズユニット１２２を介して撮像装置１２３に入射して結像された被写体像を光電変換し、得られたアナログ画像信号を画像処理部１１５に出力する。
【００３９】
レンズユニット１２２は、例えば合焦レンズ（フォーカスレンズ）、ズームレンズ等のレンズ群と、絞り、シャッター等を有し、被写体からの反射光を撮像装置１２３に取り込む。
【００４０】
記録媒体１２４は、例えば撮像装置１２３に内蔵される記録用の記憶領域や、メモリカードやＨＤＤ等の、撮像装置１２３に接続して用いる着脱可能な記録媒体である。
【００４１】
次に、図２のフローチャートを参照して、実施形態１におけるバッテリチェックおよび電池パック１０５の容量学習の流れを説明する。
【００４２】
図２のフローチャートを参照して説明する処理は、撮像装置１２３へ電池パック１０５が投入されて撮像装置１２３の電源がＯＮとなった後、一定周期（例えば５秒ごと）毎に開始される。
【００４３】
ステップＳ２０１では、制御部１１４は、電池パック制御部１０４と通信を行い、電池パック１０５の残量情報の取得を行う。電池パック制御部１０４は、メモリ１０３が記憶している残量および学習容量を残量情報としてカメラマイコン１０４に送信する。制御部１１４は、電池パック制御部１０４から受信した電池パック１０５の残量と電池パック制御部１０４から受信した電池パック１０５の学習容量との割合を計算し、その割合から所定のオフセット値を差し引くことにより、撮像装置１２３で使用される残量を計算する。例えば、電池パック制御部１０４で計算された割合が１５％であり、所定のオフセット値が１０％である場合、撮像装置１２３で使用される残量は５％（＝１５％−１０％）となる。
【００４４】
ステップＳ２０２で、制御部１１４は、ステップＳ２０１で計算された残量が０％以下であるかを判定する。制御部１１４がステップＳ２０１で計算された残量が０％以下ではないと判定した場合、図２のフローチャートが終了する。一方、制御部１１４がステップＳ２０１で計算された残量が０％以下であると判定した場合、ステップＳ２０３に進む。
【００４５】
ステップＳ２０３で、制御部１１４は、撮像装置１２３が動作禁止状態に到達したことをユーザに通知するための情報を、所定時間（例えば１０秒間）、表示部１１８および他の表示装置に表示させるための制御を行う。撮像装置１２３が動作禁止状態に到達したことをユーザに通知するための情報の例を図３（ａ）および図３（ｂ）に示す。図３（ａ）は撮像装置１２３の右肩部に設置された表示装置に表示される情報の一例であり、図３（ｂ）は表示部１１８に表示される情報の一例である。そして、制御部１１４は、前記情報の表示を行うと共に、記録媒体１１２への書き込みや撮像動作など、撮像装置１２３の主要な動作を終了させる処理を行う。
【００４６】
ステップＳ２０４で、制御部１１４はスタンバイモードで動作するよう撮像装置１２３の各構成要素を制御する。ここで、スタンバイモードとは、例えば、電池電流が１００ｍＡ以下かつ電流変動が１００ｍＡ以下となるような低消費電力で動作するモードで撮像動作と比べると電流値が少ないことを特徴としている。
【００４７】
ステップＳ２０５で、制御部１１４は電池パック制御部１０４と通信を行い、電池パック１０５内の二次電池１０１の電圧を取得する。制御部１１４は、二次電池１０１の電圧が、終止電圧（例えば５．４Ｖ）以下であると判定した場合、ステップＳ２０６に進む。
【００４８】
一方、二次電池１０１の電圧が終止電圧を超えていると制御部１１４が判定した場合、制御部１１４は、撮像装置１２３のスタンバイモードを継続し、所定時間（例えば５秒）経過後に、再度ステップＳ２０５の処理を繰り返す。ここで、二次電池１０１の電圧が終止電圧に到達しているかの判定を制御部１１４が実施したが、電池パック制御部１０４がこの処理を行い、二次電池１０１の電圧が終止電圧に到達したか否かを制御部１１４に通知する構成としてもよい。
【００４９】
ステップＳ２０６で、電池パック制御部１０４は、メモリ１０３内に保存していた、二次電池１０１の電圧が終止電圧に到達するまでの充放電電流の積算値を、新たな学習容量として、メモリ１０３に保存する。
【００５０】
ステップＳ２０７で、制御部１１４は、撮像装置１２３の各構成要素を停止させるように制御し、図２のフローチャートが終了する。
【００５１】
これにより、撮像装置１２３内にて、電池パック１０５の容量学習が完了し、撮像装置１２３から電池パック１０５を取り外すことが可能となる。ここで、二次電池１０１の電圧が終止電圧以下でない場合にも、途中で電池パック１０５を撮像装置１２３から取り外すことは可能である。ただし、その場合は、電池パック１０５の容量学習は完了していないので、再度、電池パック１０５を撮像装置１２３に接続した場合に、図２のフローチャートが開始される。
【００５２】
上述したように、実施形態１では、電池パック１０５の残量と電池パック１０５の学習容量との割合から所定のオフセット値を差し引くことにより、撮像装置１２３で使用される残量を計算することができる。これにより、実容量と学習容量との間に乖離が生じている場合であっても、撮像装置１２３が突然動作禁止状態になってしまう事態を未然に防止することができる。
【００５３】
さらに、実施形態１では、撮像装置１２３が動作禁止状態に到達してから、二次電池１０１の終止電圧まで、負荷変動の小さい低消費電力モードで電池パック１０５を放電させることができる。これにより、電池パック１０５の保護回路１０８を動作させることなく、電池パック制御部１０４電池パック１０５の容量学習を行うことができる。
【００５４】
［実施形態２］
実施形態１では、撮像装置１２３が動作禁止状態に到達した後に、撮像装置１２３の動作モードが電池パック１０５の容量学習を行うためのモードに自動的に遷移する例について説明した。
【００５５】
しかしながら、実施形態１では、電池パック１０５の容量学習を行うか否かをユーザに自由に選択させるための手段がないという課題がある。電池パック１０５の容量学習を行ってしまうと、撮像装置１２３が動作禁止状態に到達した時点から二次電池１０１の電圧が終電電圧に到達するまでの容量分だけ、充電時間が長くなってしまうという課題がある。
【００５６】
そこで、実施形態２では、実施形態１の課題を解決する例について説明する。なお、実施形態２では、実施形態１と共通する部分については説明を省略し、実施形態２に特有の部分を中心に説明する。
【００５７】
まず、図４のフローチャートを参照して、実施形態２におけるバッテリチェックおよび電池パック１０５の容量学習の流れを説明する。
【００５８】
図４のステップＳ４０１からＳ４０２では、図２のステップＳ２０１からＳ２０２と同様の処理が実行される。さらに、図４のステップＳ４０５からＳ４０７では、図２のステップＳ２０５からＳ２０７と同様の処理が実行される。
【００５９】
ステップＳ４０３で、制御部１１４は、撮像装置１２３が動作禁止状態に到達した場合に、電池パック１０５の容量学習を行うか否かをユーザに選択させるための情報を表示部１１８に表示させるための制御を行う。電池パック１０５の容量学習を行うか否かをユーザに選択させるための情報の例を図５に示す。これにより、ユーザは、操作部１１９を操作することにより、電池パック１０５の容量学習を行うか否かを撮像装置１２３に指示することができる。ユーザが操作部１１９を操作して「はい」を選択した場合、制御部１１４はステップＳ４０４に進み、ユーザが操作部１１９を操作して「いいえ」を選択した場合は、制御部１１４はステップＳ４０８に進む。
【００６０】
ステップＳ４０４では、制御部１１４は、容量学習中であること、容量学習の残り時間の目安、容量学習後のユーザの作業などをユーザに通知するための情報を、容量学習が完了するまでの間、表示部１１８に表示させるための制御を行う。容量学習中であること、容量学習の残り時間の目安、容量学習後のユーザの作業などをユーザに通知するための情報の例を図６に示す。さらに、制御部１１４は、前記情報の表示を行うと共に、記録媒体１１２への書き込みや撮像動作など、撮像装置１２３の主要な動作を終了させる処理を行う。この状態の場合の電池電流および電流変動は約１５０ｍＡで撮像動作に比べると少ない。
【００６１】
上述したように、実施形態２では、電池パック１０５の残量と電池パック１０５の学習容量との割合から所定のオフセット値を差し引くことにより、撮像装置１２３で使用される残量を計算することができる。これにより、実容量と学習容量との間に乖離が生じている場合においても、撮像装置１２３が突然動作禁止状態になってしまう事態を未然に防止することができる。
【００６２】
さらに、実施形態２では、撮像装置１２３が動作禁止状態に到達してから、二次電池１０１の終止電圧まで、負荷変動の小さい低消費電力モードで電池パック１０５を放電させることができる。これにより、電池パック１０５の保護回路１０８を動作させることなく、電池パック制御部１０４は電池パック１０５の容量学習を行うことができる。
【００６３】
さらに、実施形態２では、撮像装置１２３が動作禁止状態に到達した時点で、電池パック１０５の容量学習を行うか否かをユーザに選択させることができる。ユーザが電池パック１０５の容量学習を行わないことを選択すれば、電池パック１０５の充電にかかる時間を短くすることができる。
【００６４】
さらに、実施形態２では、表示部１１８に容量学習終了後の処理を表示することができる。これにより、容量学習中であることをユーザに通知することができ、容量学習終了後に何をすればよいかをユーザに通知することができる。
【００６５】
［実施形態３］
実施形態２では、撮像装置１２３が動作禁止状態に到達した後に、撮像装置１２３の動作モードを電池パック１０５の容量学習を行うためのモードに遷移させるか否かをユーザに選択できるようにした例について説明した。
【００６６】
しかしながら、実施形態２では、電池パック１０５の容量学習が完了するまでの期間、ユーザは撮像装置１２３を使用することができないという課題がある。
【００６７】
そこで、実施形態３では、実施形態２の課題を解決する例について説明する。なお、実施形態３では、実施形態２と共通する部分については説明を省略し、実施形態３に特有の部分を中心に説明する。
【００６８】
まず、図７のフローチャートを参照して、実施形態３におけるバッテリチェックおよび電池パック１０５の容量学習の流れを説明する。
【００６９】
図７のステップＳ７０１からＳ７０３では、図４のステップＳ４０１からＳ４０３と同様の処理が実行される。さらに、図７のステップＳ７０５からＳ７０７では、図４のステップＳ４０５からＳ４０７と同様の処理が実行される。
【００７０】
ステップＳ７０４では、容量学習中であることと、容量学習中に撮像装置１２３で実行可能な機能とをユーザに通知するための情報を表示部１１８に表示させるための制御を行う。容量学習中であることと、容量学習中に撮像装置１２３で実行可能な機能とをユーザに通知するための情報の例を図８（ａ）および図８（ｂ）に示す。
【００７１】
実施形態３では、ユーザは、容量学習中も撮像装置１２３が有する機能の一部は使用可能である。具体的には、制御部１１４は、撮像装置１２３が動作禁止状態に到達してから電池パック１０５の電圧が終止電圧に到達するまでの間、保護回路１０４が動作しないように電池電流および電流変動が所定よりも低い動作を許可する。容量学習中に実行可能な機能は、例えば、電池電流および電流変動が３００ｍＡ以下の機能である。メニュー画面の表示部１１８への表示、撮像画像の表示部１１８への表示などは、容量学習中に実行可能な機能である。
【００７２】
図８（ａ）は、内蔵ストロボ機能の設定を変更するためのメニュー画面の一例でもある。
【００７３】
内蔵ストロボの発光モードや調光補正の設定は選択可能であるが、内蔵ストロボの発光を伴うテスト発光は選択できないようグレーアウト表示されている。これは、内蔵ストロボの発光動作のための充電電流が所定値（例えば１Ａ）よりも大きいためである。
【００７４】
図８（ａ）において、ユーザが操作部１１９を操作して、表示部１１８に表示された画面の右下にある「学習中」と表示されたアイコンを選択すると、図６の画面に遷移し、いつでも容量学習の状況を確認することが可能である。
【００７５】
また、容量学習中に、ユーザが操作部１１９によって、撮像動作を行おうとすると、制御部１１４は、図８（ｂ）のように撮像動作が行えない旨をユーザに通知するための情報を表示部１１８に表示させるための制御を行う。
【００７６】
上述したように、実施形態３では、電池パック１０５の残量と電池パック１０５の学習容量との割合から所定のオフセット値を差し引くことにより、撮像装置１２３で使用される残量を計算することができる。これにより、実容量と学習容量との間に乖離が生じている場合においても、撮像装置１２３が突然動作禁止状態になってしまう事態を未然に防止することができる。
【００７７】
さらに、実施形態３では、撮像装置１２３が動作禁止状態に到達してから、二次電池１０１の終止電圧まで、負荷変動の小さい低消費電力モードで電池パック１０５を放電させることができる。これにより、電池パック１０５の保護回路１０８を動作させることなく電池パック１０５の容量学習を行うことができる。
【００７８】
さらに、実施形態３では、撮像装置１２３が動作禁止状態に到達した時点で、電池パック１０５の容量学習を行うか否かをユーザに選択させることができる。ユーザが電池パック１０５の容量学習を行わないことを選択すれば、電池パック１０５の充電にかかる時間を短くすることができる。
【００７９】
さらに、実施形態３では、表示部１１８に容量学習終了後の処理を表示することができる。これにより、容量学習中であることをユーザに通知することができ、容量学習終了後に何をすればよいかをユーザに通知することができる。
【００８０】
さらに、実施形態３では、制御部１１４は、容量学習中であっても、容量学習に影響のない電池電流および電流変動の小さな動作モードの動作を許可しているため、ユーザは、容量学習中でも、撮像装置１２３の一部の機能を使い続けることができる。
【００８１】
なお、本発明は上記の実施形態１、２および３に限定されるものではなく、発明の要旨の範囲であれば実施形態１、２および３に様々な変更または修正を加えることができる。
【符号の説明】
【００８２】
１０５  電池パック、１２３  撮像装置
【図１】
2018207739.tif 000003
【図２】
2018207739.tif 000004
【図３】
2018207739.tif 000005
【図４】
2018207739.tif 000006
【図５】
2018207739.tif 000007
【図６】
2018207739.tif 000008
【図７】
2018207739.tif 000009
【図８】
2018207739.tif 000010